(57)【要約】チューインガムパッケージは、ディスペンサーと、ディスペンサーホルダーと、ガムホルダーとを含む。ディスペンサーは、風味付けされた液体を分与するように構成される。ディスペンサーホルダーは、ディスペンサーを取り外し可能に受け入れ且つ保持するように構成される。ガムホルダーは、チューインガム製品を入れることができるように構成される。ガムホルダーは、ディスペンサーホルダーの第１側面に対して接続され且つ第１側面から外側に延びる第１パネルと、ディスペンサーホルダーの第１側面に対して接続され且つ第１側面から外側に延びる第２パネルとを含む。第１パネルと第２パネルは、閉鎖位置と開放位置との間で移動可能であるように構成される。第１パネルと第２パネルは、チューインガム製品へのアクセスを阻止するために閉鎖位置では互いに対して実質的に平行であり、ガム製品へのアクセスを増大するために開放位置では互いに対して平行でない。
2018506478.tif 000002
【特許請求の範囲】
【請求項１】
チューインガムパッケージであって、
風味付けされた液体を分与するように構成されたディスペンサーと、
前記ディスペンサーを取り外し可能に受け入れて保持するディスペンサーホルダーと、
チューインガム製品を入れることができるように構成されたガムホルダーであって、
前記ディスペンサーホルダーの第１側面に対して接続され且つ前記ディスペンサーホルダーの第１側面から外側に延びる第１パネルと、
前記ディスペンサーホルダーの第１側面に対して接続され且つ前記ディスペンサーホルダーの第１側面から外側に延びる第２パネルと
を含むガムホルダーと
を含み、
前記第１パネル及び前記第２パネルは閉鎖位置と開放位置との間で移動可能であるように構成され、
前記第１パネル及び前記第２パネルは、前記チューインガム製品へのアクセスを阻止するように前記閉鎖位置では互いに対して実質的に平行であり、前記チューインガム製品へのアクセスを増大するように前記開放位置では互いに対して平行でない、チューインガムパッケージ。
【請求項２】
前記ガムホルダーは第３パネルを更に含み、前記第１パネル及び前記第２パネルは前記第３パネルが前記第１パネルと前記第２パネルとの間に配置されるように前記第３パネルに接続され、前記ディスペンサーホルダーは前記第３パネルに固定されている、請求項１に記載のチューインガムパッケージ。
【請求項３】
前記ディスペンサーホルダーを前記ガムホルダーに固定するように構成された取り付け機構を更に含む、請求項１に記載のチューインガムパッケージ。
【請求項４】
前記ディスペンサーホルダーを前記第３パネルに固定するように構成された取り付け機構を更に含む、請求項２に記載のチューインガムパッケージ。
【請求項５】
前記第３パネルは少なくとも１つの開口を備え、前記取り付け機構は、前記取り付け機構が前記ディスペンサーホルダーを前記第３パネルに固定するときに、少なくとも１つの突出部が前記少なくとも１つの開口を通って延び且つ少なくとも１つの係合孔と係合するように、前記少なくとも１つの係合孔を有するクリップ本体と、前記ディスペンサーホルダーに形成された前記少なくとも１つの突出部とを含む、請求項４に記載のチューインガムパッケージ。
【請求項６】
前記ディスペンサーは、前記風味付けされた液体を入れることができるように構成された容器と、前記風味付けされた液体を押し出すように構成されたノズルとを更に含む、請求項１に記載のチューインガムパッケージ。
【請求項７】
前記ディスペンサーホルダーは、前記ディスペンサーの第１部分を受け入れるように構成されたキャップと、前記ディスペンサーの第２部分を受け入れるように構成された本体とを更に含む、請求項１に記載のチューインガムパッケージ。
【請求項８】
前記ディスペンサーホルダーは、前記ノズルを受け入れるように構成されたキャップと、前記容器を受け入れるように構成された本体とを更に含む、請求項２に記載のチューインガムパッケージ。
【請求項９】
前記容器は、前記ディスペンサーホルダーの前記本体内に受け入れられ且つ前記本体内でスライドするように構成されたガイド部分を更に含む、請求項８に記載のチューインガムパッケージ。
【請求項１０】
前記キャップは、前記キャップの内面に配置され且つ前記ディスペンサーが前記ディスペンサーホルダー内に受け入れられたときに前記ノズルに取り外し可能に接続されるように構成されたノズル受け部分を更に含む、請求項８に記載のチューインガムパッケージ。
【請求項１１】
前記キャップは、前記ディスペンサーが前記ディスペンサーホルダー内に受け入れられたときに前記ノズルを前記ノズル受け部分へと案内するように構成された案内リブを更に含む、請求項１０に記載のチューインガムパッケージ。
【請求項１２】
前記第１パネルは、前記第１パネル及び前記第２パネルを前記閉鎖位置に固定するように構成された固定フラップを含む、請求項１に記載のチューインガムパッケージ。
【請求項１３】
前記第２パネルは、前記第１パネル及び前記第２パネルが前記閉鎖位置にあるときに前記固定フラップを受け入れるように構成されたスリットを含む、請求項１２に記載のチューインガムパッケージ。
【請求項１４】
前記第１パネルは、前記チューインガム製品を入れることができるように構成された第１区画を含む、請求項１に記載のチューインガムパッケージ。
【請求項１５】
前記第２パネルは、第２チューインガム製品を入れることができるように構成された第２区画を含む、請求項１４に記載のチューインガムパッケージ。
【発明の詳細な説明】
【技術分野】
【０００１】
本開示は、全体としてチューインガム用パッケージに関する。
【背景技術】
【０００２】
関連特許出願との相互参照
本出願は、２０１５年２月６日に出願された米国仮特許出願第６２／１１３，１４８号及び２０１５年７月１日に出願された米国仮特許出願第６２／１８７，５５５号の利益を主張するものであり、上記仮出願の全内容が完全な形で参照により本明細書に含まれるものとする。
【０００３】
チューインガムは非常に人気のあるキャンディー製品である。ガムは多くの場合、その基本形状で包装されている。例えば、複数枚のガムを紙又は同様のシート材料で個々に包み、箔状材料によって１パックにまとめることができる。チューインガム用パッケージは、一般的に非常にシンプルである。その使用目的は、ガムへの容易なアクセスを可能にし且つゴミを最小限にしつつ、チューインガムを保持又は包装することを含む。
【０００４】
チューインガムは、一般的に、消費者が味を調整することができるように提供又は包装されていない。比較例として、一部の従来のチューインガム以外のキャンディー製品は、消費者が包装されたキャンディーに液体を付けることを可能にしてそれらを一緒に食べることができるようにする液体ディスペンサーを含むパッケージを有する。液体ディスペンサーは、消費者がキャンディーに様々な量の液体を分与することによりキャンディーの風味を自分の好みに合わせルことを可能にし、それによってその風味を変え、食べているときにキャンディーの風味が残る時間を延長する。少なくとも１つの従来のチューインガム製品は、液体を充填した中心部を有することが知られている。しかしながら、そのアプローチは消費者に同様の体験及び調整を提供しない。
【発明の概要】
【発明が解決しようとする課題】
【０００５】
ユニーク且つ調整される味覚体験を消費者に提供する改良されたチューインガムパッケージを提供することが望ましい。
【課題を解決するための手段】
【０００６】
本発明の一実施形態は、ディスペンサーと、ディスペンサーホルダーと、ガムホルダーとを含むチューインガムパッケージに関する。ディスペンサーは、風味付けされた液体を分与するように構成されている。ディスペンサーホルダーは、ディスペンサーを取り外し可能に受け入れ且つ保持するように構成されている。ガムホルダーは、チューインガム製品を入れることができるように構成されている。ガムホルダーは、ディスペンサーホルダーの第１側面に対して接続され且つ第１側面から外側に延びる第１パネルと、ディスペンサーホルダーの第１側面に対して接続され且つ第１側面から外側に延びる第２パネルとを含む。第１パネル及び第２パネルは、閉鎖位置と開放位置との間で移動可能であるように構成されている。第１パネル及び第２パネルは、チューインガム製品へのアクセスを阻止するために閉鎖位置では互いに対して実質的に平行であり、ガム製品へのアクセスを増大するために開放位置では互いに対して平行でない。
【図面の簡単な説明】
【０００７】
【図１】本発明の一実施形態による閉鎖位置にあるチューインガムパッケージの斜視図である。
【図２】開放位置にある図１のチューインガムパッケージの斜視図である。
【図３】図１のチューインガムパッケージの分解斜視図である。
【図４】図１のチューインガムパッケージ用のディスペンサーホルダーの斜視図である。
【図５】図４のディスペンサーホルダーの底面斜視図である。
【図６】図１のチューインガムパッケージ用のディスペンサーの斜視図である。
【図７】図１のチューインガムパッケージ用の取り付け機構のための構成要素の斜視図である。
【発明を実施するための形態】
【０００８】
図面を全体的に参照すると、本明細書に開示されているのは、チューインガム用パッケージの実施形態である。チューインガム用パッケージは、チューインガム製品へのアクセスを提供するガムホルダーと、ディスペンサーホルダーによって取り外し可能に保持されたディスペンサーとを含み、ディスペンサーは、ユニークで且つ調整される味覚体験のために消費者がチューインガム製品に風味付けされた液体を分与することを可能にする。また、チューインガム製品に風味付けされた液体を分与することによって、食べているときにチューインガム製品の風味が残る時間を延長することができる。このようなパッケージの実施形態を以下で説明する。
【０００９】
図１及び図２は、一実施形態によるチューインガムパッケージ１０の様々な斜視図を示す。チューインガムパッケージ１０は、全体としてノートブックのような形状であり、ガムホルダー２０と、ディスペンサー３０と、ディスペンサーホルダー４０とを含む。
【００１０】
図１及び２に示すように、ガムホルダー２０は、複数の個別に包装されたガム片の形態であることができるチューインガム製品１５を入れることができるように構成されている。ガムホルダー２０は一般に、第１パネル２１と第２パネル２２とを含む。第１パネル２１は、ディスペンサーホルダー４０の第１側面４０ａに対して接続され且つ第１側面４０ａから外側に延び、一方、第２パネル２２は、ディスペンサーホルダー４０の第２側面４０ｂに対して接続され且つディスペンサーホルダー４０の第２側面４０ｂから外側に延びている。第１パネル２１及び第２パネル２２は、閉鎖位置と開放位置との間で移動可能である。例えば、図１に示すように、閉鎖位置では、第１パネル２１及び第２パネル２２は、チューインガム製品１５へのアクセスが阻止されるように間隔を置いて互いに近づけて配置され且つ互いに対して実質的に平行である。図２に示すように、開放位置では、第１パネル２１及び第２パネル２２は、チューインガム製品１５へのアクセスが増大されるように間隔を置いて離して配置され且つ互いに対して平行でなく、消費者が食べるためにチューインガム製品１５をガムホルダー２０から取り出すことを可能にする。
【００１１】
図３は、チューインガムパッケージ１０の分解斜視図を示す。図３に示す実施形態では、ガムホルダー２０は、チューインガム製品１５を保持するのに適した構造的完全性及び他の所望の特性を有する、紙、ボール紙、又はプラスチックなどの平坦なシート状材料から主に形成されるように示されている。第１パネル２１は、チューインガム製品１５を入れることができる、第１パネル２１の内面に配置された第１区画２３を含むことができる。また、第２パネル２２は、更なるチューインガム製品１５を入れることができる、第２パネル２２の内面に配置された第２区画２４を含むことができる。第１区画２３及び第２区画２４は、凹部を有する容器として形成されることができる。凹部は、チューインガム製品１５が第１及び第２区画内に保持されるように、チューインガム製品が第１及び第２区画２３、２４内にスライドされ又は他の方法で挿入されることを可能にする。一部の実施形態では、第１及び第２区画２３、２４は、それぞれ第１及び第２パネル２１、２２と一体的に形成されることができる。例えば、第１及び第２パネル２１、２２は、第１及び第２パネル２１、２２の縁に一体的に形成されたフラップを含むことができる。フラップは、第１及び第２パネル２１、２２に対して折り畳まれ且つ第１及び第２区画２２、２３を形成するように接続されることができる。他の実施形態では、第１及び第２区画２３、２４は、第１及び第２パネル２１、２２内にスライドするか又は他の方法で第１及び第２パネル２１、２２に取り付けられる別個の構成要素であることができる。
【００１２】
第１及び第２パネルが互いに対して実質的に平行なままであり且つチューインガム製品１５へのアクセスが阻止されるようにガムホルダー２０をその閉鎖位置に固定するために、第１パネル２２は固定フラップ６２を含むことができる。固定フラップ６２は、ガムホルダー２０がその閉鎖位置にあるときに第２パネル２２に折り重なり且つ第２パネル２２に結合するように構成されることができる。例えば、図１に示すように、固定フラップ６２は、第２パネル２２に形成されたスリット６４内に挿入されることができる。しかしながら、他の実施形態では、取り外し可能且つ柔軟なバンドを使用して第１及び第２パネル２１、２２を閉鎖位置に固定することができる。
【００１３】
また、図３に示すように、ガムホルダー２０は第３パネル２５を更に含むことができる。第１パネル２１及び第２パネル２２は、第３パネル２５が第１パネル２１と第２パネル２２との間に配置されるように第３パネル２５に接続されることができる。一部の実施形態では、第１パネル２１、第２パネル２２、及び第３パネル２５が１枚のシートとして形成され、このシートがその後ガムホルダー２０を形成するために成形されるように、第３パネル２５は、第１パネル２１及び第２パネル２２と一体的に形成されている。他の実施形態では、第３パネル２５は、第１及び第２パネル２１、２２に取り付けられた別個の構成要素であることができる。第３パネル２５は、ディスペンサーホルダー４０が第３パネル２５に固定されることを可能にするために少なくとも１つの開口を含むことができ、これについては以下でより詳細に説明する。図３に示す実施形態では、第３パネル２５は３つの円形開口２６ａ〜２６ｃを含む。
【００１４】
図４及び図５は、一実施形態によるディスペンサーホルダー４０を示す。図４に示すように、ディスペンサーホルダー４０は、キャップ４１と本体４２とを含む。キャップ４１は、概ね半楕円形状又は半円形状であり、本体４２もまた概ね半楕円形状又は半円形状である。しかしながら、図４に示すように、キャップ４１が本体４２の両側で更に外側に延びるように、キャップ４１は、本体４２よりも大きな直径を含むことができる。
【００１５】
図５に示すように、キャップ部分４１は、ディスペンサー３０の第１部分を受け入れるように成形された内部空洞４５を含むことができる。また、本体４２は、ディスペンサー３０の第２部分を受け入れるように成形されたガイド凹部４４を含むことができる。図５に更に示すように、内部空洞４５の底部内面には、複数の案内リブ４６とノズル受け突起４７とが形成されている。ノズル受け突起４７は、内部空洞４５の底部内面の中心に形成され、一方、複数の案内リブ４６は、内部空洞４５の内周に沿って形成され且つノズル受け突起４７に向かって内側に突出する。複数の案内リブ４６は、ディスペンサー３０をディスペンサーホルダー４０内に受け入れたときにディスペンサー３０をノズル受け突起４７に案内するように成形（例えば、角度付け）されることができる。
【００１６】
図６は、一実施形態によるディスペンサーホルダー４０内に取り外し可能に受け入れられ且つ保持されることができるディスペンサー３０を示す。ディスペンサー３０は、容器３１とノズル３２とを含む。容器３１は、例えば、甘味及び／又は酸味のある液体であることができる風味付けされた液体を入れることができるように構成されている。ノズル３２は、風味付けされた液体を容器３１から分与するように構成されている。容器３１は、風味付けされた液体が容器３１から搾り出され且つノズル３２を通して押し出されるように十分柔軟であるが、液体の流れを調整するのが難しいほど柔軟ではない、プラスチックなどの材料で作られている。また、容器３１は、消費者が容器３１内に残っている液体の量を容易に確認することができるように半透明又は透明であることができる。ノズル３２は、通常の使用中にノズル３２が容器３１から分離されるのを効果的に防ぐ、ロックねじ山、接着剤、スナップ嵌め、又は他の接続によって容器３１に接続されることができる。ノズル３２は、詰まりの危険性が排除又は最小化されるように、一方向だけのスナップ嵌め又は他の永久的な接着などによって、容器３１に恒久的に取り付けられることが好ましい。
【００１７】
図６に更に示すように、容器３１は一般に、ディスペンサーホルダー４０の断面形状と実質的に一致する断面形状を含む。言い換えれば、容器３１は、概ね半楕円形状又は半円形状の本体部分３３と、概ね半楕円形状又は半円形状のガイド部分３４とを含む。ガイド部分３４は、本体４２のガイド凹部４４内に受け入れられ且つガイド凹部４４内でスライドするように構成されている。容器３１の本体部分は、ディスペンサー３０をディスペンサーホルダー４０内に受け入れたときに本体部分３３がキャップ４１の外面と実質的に同一平面であるように、ディスペンサーホルダー４０のキャップ４１と実質的に同じ直径を有するように構成されている。容器３１は、本体部分３３の上面に設けられた段差部分３５を更に含むことができる。段差部分３５は、ディスペンサーホルダー４０のキャップ４１内に受け入れられるように構成されることができる。また、１つ以上のノッチ３７が、ガイド部分３４及び／又は段差部分３５の外面に含まれることができる。ノッチ３７は、内部空洞４５内でディスペンサーホルダー４０の内面に形成された周縁部（図示せず）と係合するように構成されることができる。
【００１８】
ディスペンサー３０をディスペンサーホルダー４０に入れると、ディスペンサー３０のガイド部分３４がディスペンサーホルダー４０のガイド凹部４４に沿ってスライドする。ノズル３２がキャップ部分４１の内部空洞４５に入ると、ノズル３２は案内リブ４６によってノズル受け突起４７へと案内される。ノズル受け突起４７はその後、ノズル３２とノズル受け突起４７がスナップ止め接続などの取り外し可能な接続を形成するようにノズル３２の開口内に入れられる。この接続は、ディスペンサー３０をディスペンサーホルダー４０内に保持し且つ液体が容器３１から押し出されるのを防ぐようにノズル３２を密封するが、依然として消費者がディスペンサー３０に引張力を与えることによってディスペンサー３０をディスペンサーホルダー４０から取り外すことを可能にするのに十分である。また、ノッチ３７は、ディスペンサー３０をディスペンサーホルダー４０内に保持するための更なる接続を提供するためにディスペンサーホルダー４０の周縁部と係合することができる。
【００１９】
図７は、一実施形態による、ディスペンサーホルダー４０をガムホルダー２０に固定するのに使用することができる取り付け機構５０の構成要素を示す。図７に示すように、取り付け機構５０は、ディスペンサーホルダー２０の本体４２を受け入れるように、概ね半楕円形状又は半円形状のクリップ本体５４を含む。取り付け機構５０のクリップ本体５４は、少なくとも１つの係合孔を含む。例えば、図７に示すように、クリップ本体５４は３つの係合孔５１ａ〜５１ｃを含むことができる。クリップ本体５４はまた、係合孔５１ａ〜５２ｃを取り囲む突出リング５２を含むことができる。取り付け機構５０は、ディスペンサーホルダー４０をガムホルダー２０に固定するために係合孔と係合する、（例えば、図４に示すように）ディスペンサーホルダー４０の本体４２に形成された少なくとも１つの突出部を更に含む。図４に示す実施形態では、取り付け機構５０は、３つの係合孔５１ａ〜５１ｃのそれぞれに対応するように本体４２に形成された３つの突出部４３ａ〜４３ｃを含む。突出部４３ａ〜４３ｃは円形状であることができ、突出部４３ａ〜４３ｃの各々が一対の撓みフィンガーを形成するように１つ以上の切り欠き４９を含む。また、突出部４３ａ〜４３ｃの各々は、周囲リップ４８を含むこともできる。突出リング５２は、突出部４３ａ〜４３ｃが係合孔５１ａ〜５１ｃと係合するとき（例えば、図２に示すように）、取り付け機構５０に対して同一平面を提供するように構成されることができる。
【００２０】
取り付け機構５０を用いてディスペンサーホルダー４０をガムホルダー２０に固定するために、図３に示すように、突出部４３ａ〜４３ｃが第３パネル２５の対応する開口２６ａ〜２６ｃを通って延びるように、ガムホルダー２０の第３パネル２５をディスペンサーホルダー４０の本体４２上に配置する。次に、取り付け機構５０のクリップ本体５４を第３パネル２５上に配置し、係合孔５１ａ〜５１ｃを対応する突出部４３ａ〜４３ｃと係合させることによってディスペンサーホルダー４０に取り付けることができる。取り付け機構５０を使用してディスペンサーホルダー４０をガムホルダー２０に固定するとき、突出部４３ａ〜４３ｃの撓みフィンガーは、突出部４３ａ〜４３ｃが対応する係合孔５１ａ〜５１ｃを通る際に内向きに変形する。突出部４３ａ〜４３ｃの周囲リップ４８が係合孔５１ａ〜５１ｃを通るとき、周囲リップ４８がスナップ嵌め接続によってディスペンサーホルダー４０が取り付け機構５０のクリップ本体５４から外れるのを防ぐように、撓みフィンガーは外側に撓む。このような構成によって、第３パネル２５はその後、ディスペンサーホルダー４０がガムホルダー２０に固定されるようにディスペンサーホルダー４０と取り付け機構５０のクリップ本体５４との間に挟まれる。また、取り付け機構５０は、取り付け機構５０がディスペンサーホルダー４０をガムホルダー２０に固定するときに、取り付け機構５０のクリップ本体５４の外面がディスペンサーホルダー４０のキャップ４１及び容器３１の本体部分３３の外面と実質的に同一平面になるように構成されている。一旦取り付けられると、ディスペンサー３０、ディスペンサーホルダー４０、及び取り付け機構５０は共に、例えば、図２に示すように、ノートブック状のチューインガムパッケージ１０の「中核」を形成する。
【００２１】
ディスペンサーホルダー４０は、図面に示すように取り付け機構５０を用いてガムホルダー２０に固定されるように示されているが、ディスペンサーホルダー４０は、他の手段を用いてガムホルダー２０に固定されることができる。例えば、取り付け機構５０は、ディスペンサーホルダー４０の本体４２に形成された突出部４３ａ〜４３ｃのみを含むことができる。突出部４３ａ〜４３ｃはその結果、クリップ本体５４を使用せずにディスペンサーホルダー４０を開口２６ａ〜２６ｃに固定するのに使用されることができる。また、他の形態（例えば、クリップ又は留め具）の取り付け機構がディスペンサーホルダー４０に一体的に形成され、クリップ本体５４を使用せずにガムホルダー２０の第３パネル２５に結合するように構成されることができる。代わりに、ディスペンサーホルダー４０は、取り付け機構として挿入スリットを含むことができる。挿入スリットは、ディスペンサーホルダー４０の第１側面４０ａ及び第２側面４０ｂのそれぞれに形成されることができる。第１及び第２パネル２１、２２はその結果、ディスペンサーホルダー４０の第１及び第２側面に接続するために挿入スリットに挿入されることができ、このようにして第３パネル２５の使用なしで済ませることができる。他の実施形態では、取り付け機構は、接着剤、テープなどの接着材料であることができる。ディスペンサーホルダー４０は、接着材料を用いて第１、第２、及び／又は第３パネルに取り付けられることができる。また、ディスペンサーホルダー４０及びディスペンサー３０は、図１〜図３に示すようにガムホルダー２０の外部に配置されて示されているが、代わりに、ディスペンサーホルダー４０及びディスペンサー３０は、消費者がディスペンサー３０にアクセスするためにガムホルダー２０を開けるようにガムホルダー２０の内部に配置されることができる。
【００２２】
チューインガムパッケージ１０を使用するために、消費者は、固定フラップ６２をスリット６４から解放することによってガムホルダー２０を開け、消費者が第１パネル２１及び第２パネル２２を開放位置（例えば、図２）に移動させることを可能にする。消費者は次に、チューインガム製品１５にアクセスし、第１区画２３又は第２区画２４から一片のチューインガム製品１５を取り出すことができる。一片のチューインガム製品１５を取り出す前又は後に、ディスペンサー３０をディスペンサーホルダー４０から取り外すことができる。ディスペンサー３０を取り外すために、消費者はディスペンサー３０を下方に引っ張り、ディスペンサーホルダー４０のキャップ４１から離すことができる。ディスペンサー３０を引っ張ることによって、ノズル３７がノズル受け突起４７から外れ、ノッチ３７がディスペンサーホルダー４０から外れる。消費者は次に、ディスペンサー３０のガイド部分３４を本体４２のガイド凹部４４に沿ってスライドさせ、ディスペンサー３０を使用のために取り外すことができる。消費者は次に、ノズル３２を通して風味付けされた液体を押し出すことができるようにディスペンサー３０の容器３１を絞ることができ、消費者は次に、包装を外した一片のチューインガム製品１５に風味付けされた液体を付けることができる。ディスペンサー３０によって、消費者は、チューインガム製品１５に付ける風味付けされた液体の量を調整することができ、ひいてはチューインガム製品１５の全体的な風味を調整することができる。また、消費者は、食べているときに一片のチューインガム製品１５がその全体的な風味を保つ時間を延長することができる。風味付けされた液体を付けた後、消費者は次に、ガイド部分３４を本体４２のガイド凹部４４に沿ってスライドさせ且つディスペンサー３０のノズル３２をキャップ部分４１の空洞４５内に押し込むことによってディスペンサー３０をディスペンサーホルダー４０に再挿入することができ、ディスペンサー３０をディスペンサーホルダー４０内に取り外し可能に保持及び密封するためにノズル３２がノズル受け突起４７とスナップするまで、ノズル３２は空洞４５内で案内リブ４６によって案内される。ガムホルダー２０はまた、チューインガムパッケージ１０を後で使用するためにしっかり締めて保管することを可能にするために、消費者が第１及び第２パネル２１、２２を閉鎖位置に移動させ且つ固定フラップ６２をスリット６４に挿入することによって閉じることができる。
【００２３】
上記の実施形態に記載された様々な構成要素は、好ましくは、安全基準に合格するように寸法付けされ且つ組み立てられる。しかしながら、本発明はそれほど限定されない。
【００２４】
また、本発明は、本明細書で開示されている特定の実施形態に限定されない。例えば、本発明は、任意のタイプのガム及び任意の風味付けされた液体と共に使用することができる。実施形態で示した特定の構成を、全体的な発明にとって重要でない方法で変更することができる。また、本発明の一実施形態の任意の単一の特徴を、本発明の任意の他の実施形態で使用することができる。
【００２５】
本発明の開示を考慮すれば、当業者は、本発明の範囲及び主旨内に他の実施形態及び変更が存在し得ることを理解するであろう。従って、本発明の範囲及び主旨内で当業者が本発明から到達できる全ての変更が、本発明の更なる実施形態として含まれるべきである。
【図１】
2018506478.tif 000003
【図２】
2018506478.tif 000004
【図３】
2018506478.tif 000005
【図４】
2018506478.tif 000006
【図５】
2018506478.tif 000007
【図６】
2018506478.tif 000008
【図７】
2018506478.tif 000009
【国際調査報告】
2018506478.tif 000010